(57)【要約】【課題】複数のユーザが画像形成装置を同時並列的に使用する場合において、複数のユーザのそれぞれに対して適切な画像を表示することが可能な技術を提供する。【解決手段】ＭＦＰ１０は、複数の視野角範囲（複数の方向）に対してそれぞれ異なる画面を表示するマルチビューディスプレイと、ＭＦＰ１０の周辺に存在する複数のユーザの位置を検出する検出手段とを備える。また、ＭＦＰ１０は、複数の視野角範囲のそれぞれに対して表示すべき各画面を複数のユーザの位置に基づいて決定し、その決定内容に基づいて、複数の視野角範囲のそれぞれに対応する各画面を表示する。特に、ユーザＵ１，Ｕ２の位置関係の入れ替わりが検出される場合、入れ替わり後においては、ユーザＵ１用の画面２１０を入替後のユーザＵ１の位置に向けて表示し且つユーザＵ２用の画面２２０を入替後のユーザＵ２の位置に向けて表示する。【選択図】図１２
2018103580.tif 000002
【特許請求の範囲】
【請求項１】
画像形成装置であって、
複数の視野角範囲に対してそれぞれ異なる画面を表示する表示部と、
前記画像形成装置の周辺に存在する複数のユーザの位置を検出する検出手段と、
前記複数の視野角範囲のそれぞれに対して表示すべき各画面を前記複数のユーザの位置に基づいて決定する決定手段と、
前記決定手段による決定内容に基づいて、前記複数の視野角範囲のそれぞれに対応する前記各画面を表示する表示制御手段と、
を備えることを特徴とする画像形成装置。
【請求項２】
請求項１に記載の画像形成装置において、
前記表示制御手段は、前記複数のユーザの位置関係の変更が検出される場合、変更後の位置関係に基づいて決定された各画面を前記複数の視野角範囲のそれぞれに対して表示することを特徴とする画像形成装置。
【請求項３】
請求項２に記載の画像形成装置において、
前記表示制御手段は、前記複数のユーザのうち第１のユーザと第２のユーザとの位置関係の入れ替わりが前記検出手段によって検出される場合において、前記入れ替わり前にて前記第１のユーザ用の画面を第１の視野角範囲に対して表示し且つ前記第２のユーザ用の画面を第２の視野角範囲に対して表示していたときには、前記入れ替わり後においては、前記第１のユーザ用の画面を前記第２の視野角範囲に対して表示し且つ前記第２のユーザ用の画面を前記第１の視野角範囲に対して表示することを特徴とする画像形成装置。
【請求項４】
請求項３に記載の画像形成装置において、
前記入れ替わり前において、前記第１のユーザは、印刷出力における用紙詰まりを解消する解消作業を第１の位置にて実行し、且つ、前記第２のユーザはスキャン作業を第２の位置にて実行し、
前記第１の位置は、前記第１の視野角範囲に対して表示された画面を視認することが可能な領域である第１の画面視認領域内の位置であり、
前記第２の位置は、前記第２の視野角範囲に対して表示された画面を視認することが可能な領域である第２の画面視認領域内の位置であり、
前記入れ替わり後において、前記第１のユーザは、印刷出力における用紙詰まりを解消する解消作業を前記第２の画面視認領域内にて実行し、且つ、前記第２のユーザはスキャン作業を前記第１の画面視認領域内の位置にて実行することを特徴とする画像形成装置。
【請求項５】
請求項２に記載の画像形成装置において、
前記表示制御手段は、前記複数のユーザの位置関係の変更検出前の第１の時点で、第１のユーザ用の画面を第１の視野角範囲に対して表示し且つ第２のユーザ用の画面を第２の視野角範囲に対して表示し、
前記検出手段は、前記第１の時点の後の第２の時点で、前記第１の視野角範囲に対して表示された画面を視認することが可能な領域である第１の画面視認領域と前記第２の視野角範囲に対して表示された画面を視認することが可能な領域である第２の画面視認領域との２つの画面視認領域のうちの一方の画面視認領域内に前記第１のユーザと前記第２のユーザとの両ユーザが存在する旨を判定し、
前記決定手段は、前記両ユーザのうち優先させるべきユーザである優先ユーザを決定し、
前記表示制御手段は、前記第２の時点の後において、前記第１の視野角範囲と前記第２の視野角範囲との２つの視野角範囲のうち、前記一方の画面視認領域に対応する一方の視野角範囲に対して、前記優先ユーザ用の画面を表示することを特徴とする画像形成装置。
【請求項６】
請求項５に記載の画像形成装置において、
前記表示制御手段は、前記２つの画面視認領域のうちの前記一方の画面視認領域内に前記両ユーザが存在する旨が判定される場合、前記２つの視野角範囲のうち前記一方の視野角範囲に対して前記優先ユーザ用の画面を表示するとともに、前記両ユーザのうち前記優先ユーザ以外のユーザである非優先ユーザ用の画面を前記２つの視野角範囲のうち他方の視野角範囲に対して表示することを特徴とする画像形成装置。
【請求項７】
請求項６に記載の画像形成装置において、
前記表示制御手段は、前記一方の視野角範囲に対する表示対象画面が前記非優先ユーザ用の画面から前記優先ユーザ用の画面へと変更される場合には、前記表示対象画面の変更に先立って、前記一方の視野角範囲に対して前記非優先ユーザ向けの注意喚起用の画面を表示することを特徴とする画像形成装置。
【請求項８】
請求項５から請求項７のいずれかに記載の画像形成装置において、
前記複数のユーザのそれぞれの作業内容を特定する作業内容特定手段、
をさらに備え、
前記決定手段は、前記複数のユーザのそれぞれの作業内容に基づいて前記優先ユーザを決定することを特徴とする画像形成装置。
【請求項９】
請求項８に記載の画像形成装置において、
前記決定手段は、各作業内容の作業位置依存性を規定した情報に基づき、一方のユーザの作業が作業位置依存性を有し且つ他方のユーザの作業が作業位置依存性を有しないと判定される場合、前記一方のユーザを前記優先ユーザとして決定することを特徴とする画像形成装置。
【請求項１０】
請求項９に記載の画像形成装置において、
前記決定手段は、前記両ユーザの作業が作業位置依存性の有無で区別できない場合において、各作業内容の作業種別を規定した情報に基づき、比較的高い優先順位を有する作業種別に属する作業を実行しているユーザを前記優先ユーザとして決定することを特徴とする画像形成装置。
【請求項１１】
請求項８から請求項１０のいずれかに記載の画像形成装置において、
前記作業内容特定手段は、実行中の作業内容を特定するための条件が記述された作業内容特定用情報に基づいて、各ユーザの作業内容を特定することを特徴とする画像形成装置。
【請求項１２】
請求項８から請求項１１のいずれかに記載の画像形成装置において、
前記作業内容特定手段は、各ユーザの実行中の作業内容を前記画像形成装置内の状態検出センサの検出結果に基づいて特定することを特徴とする画像形成装置。
【請求項１３】
請求項１に記載の画像形成装置において、
前記複数のユーザのそれぞれの作業内容を特定する作業内容特定手段、
をさらに備え、
前記決定手段は、前記複数の視野角範囲のそれぞれに表示すべき各画面を前記複数のユーザのそれぞれの位置と前記複数のユーザのそれぞれの作業内容とに基づいてそれぞれ決定することを特徴とする画像形成装置。
【請求項１４】
請求項１３に記載の画像形成装置において、
前記表示部の第１の視野角範囲に対して表示された画面を視認することが可能な領域である第１の画面視認領域と前記表示部の第２の視野角範囲に対して表示された画面を視認することが可能な領域である第２の画面視認領域との２つの画面視認領域のうちの一方の画面視認領域内に第１のユーザと第２のユーザとの両ユーザが存在する旨が前記検出手段によって判定される場合、
前記決定手段は、前記複数のユーザのうち優先させるべきユーザである優先ユーザを前記複数のユーザのそれぞれの作業内容に基づいて決定し、
前記表示制御手段は、前記第１の視野角範囲と前記第２の視野角範囲との２つの視野角範囲のうち、前記一方の画面視認領域に対応する一方の視野角範囲に対して、前記優先ユーザ用の画面を表示することを特徴とする画像形成装置。
【請求項１５】
請求項１４に記載の画像形成装置において、
前記表示制御手段は、前記２つの画面視認領域のうちの前記一方の画面視認領域内に前記両ユーザが存在する旨が判定される場合、前記２つの視野角範囲のうち前記一方の視野角範囲に対して前記優先ユーザ用の画面を表示するとともに、前記両ユーザのうち前記優先ユーザ以外のユーザである非優先ユーザ用の画面を前記２つの視野角範囲のうち他方の視野角範囲に対して表示することを特徴とする画像形成装置。
【請求項１６】
請求項１５に記載の画像形成装置において、
前記表示制御手段は、前記一方の視野角範囲に対して前記優先ユーザ用の画面を表示する前に、前記一方の視野角範囲に対して前記非優先ユーザ向けの注意喚起用の画面を表示することを特徴とする画像形成装置。
【請求項１７】
請求項１４から請求項１６のいずれかに記載の画像形成装置において、
前記決定手段は、各作業内容の作業位置依存性を規定した情報に基づき、一方のユーザの作業が作業位置依存性を有し且つ他方のユーザの作業が作業位置依存性を有しないと判定される場合、前記一方のユーザを前記優先ユーザとして決定することを特徴とする画像形成装置。
【請求項１８】
請求項１７に記載の画像形成装置において、
前記決定手段は、前記両ユーザの作業が作業位置依存性の有無で区別できない場合において、各作業内容の作業種別を規定した情報に基づき、比較的高い優先順位を有する作業種別に属する作業を実行しているユーザを前記優先ユーザとして決定することを特徴とする画像形成装置。
【請求項１９】
請求項１３から請求項１８のいずれかに記載の画像形成装置において、
前記作業内容特定手段は、実行中の作業内容を特定するための条件が記述された作業内容特定用情報に基づいて、各ユーザの作業内容を特定することを特徴とする画像形成装置。
【請求項２０】
請求項１３から請求項１９のいずれかに記載の画像形成装置において、
前記作業内容特定手段は、各ユーザの実行中の作業内容を前記画像形成装置内の状態検出センサの検出結果に基づいて特定することを特徴とする画像形成装置。
【請求項２１】
画像形成装置に内蔵されたコンピュータに、
ａ）前記画像形成装置の周辺に存在する複数のユーザの位置を検出するステップと、
ｂ）前記画像形成装置の表示部であって複数の視野角範囲に対してそれぞれ異なる画面を表示する表示部にて前記複数の視野角範囲のそれぞれに対して表示すべき各画面を、前記複数のユーザの位置に基づいてそれぞれ決定するステップと、
ｃ）前記ステップｂ）での決定内容に基づいて、前記複数の視野角範囲のそれぞれに対応する前記各画面を表示するステップと、
実行させるためのプログラム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関する。
【背景技術】
【０００２】
複数の視野角範囲（端的に言えば、複数の方向）に対してそれぞれ異なる画面を表示するディスプレイ（マルチビューディスプレイ）が存在する（特許文献１，２等参照）。
【０００３】
特許文献１においては、マルチビューディスプレイをカーナビゲーション装置に利用する技術が記載されている。具体的には、車両の停止中には運転席と助手席とに向けて同一の画面を表示し、車両の走行が開始すると運転席と助手席とに向けて互いに異なる画面を表示することが記載されている。これによれば、車両の停止中にテレビ映像等が運転席に向けて表示されている場合であっても、車両の運転が開始されるとテレビ映像等が運転席に向けて表示されることを防止することが可能である。
【０００４】
特許文献２においては、マルチビューディスプレイをＭＦＰ（画像形成装置）のガイダンス表示に利用する技術が記載されている。具体的には、ジャム（用紙詰まり）が発生した際に、マルチビューディスプレイが正面方向、右方向、および左方向に対して、互いに異なる画面を表示することが記載されている。より詳細には、正面位置でのジャム対処用のガイダンス（給紙カセット等に関するガイダンス）が正面方向に表示され、左位置でのジャム対処用のガイダンス（排紙ローラ等に関するガイダンス）が左方向に表示され、右位置でのジャム対処用のガイダンス（給紙ローラ等に関するガイダンス）が右方向に表示される。
【先行技術文献】
【特許文献】
【０００５】
【特許文献１】特開２０１０−１９５０８３号公報
【特許文献２】特開２００９−２２９７３１号公報
【発明の概要】
【発明が解決しようとする課題】
【０００６】
ところで、ＭＦＰ等の画像形成装置は、或る時点においては通常１人（単一人）のユーザによって使用されることが多いものの、複数人のユーザが１台のＭＦＰを同時並列的に使用することもあり得る。
【０００７】
たとえば、或るユーザの使用時（たとえば印刷時等）において用紙詰まり等が発生した場合、当該ユーザが用紙詰まりの解消作業を行っている期間において、他のユーザが別の作業（スキャン等）を当該解消作業に並行して行うことが考えられる。用紙詰まりが複数の箇所（給紙ローラ等が配置された装置左側の箇所、給紙カセット等が配置された装置中央の箇所、および排紙ローラ等が配置された装置右側の箇所など）において一斉に発生している場合等においては、当該用紙詰まりの解消作業に相当程度の時間を要することがある。そのような状況において、当該解消作業の終了を待てない他のユーザが、当該用紙詰まりとは無関係なジョブ（印刷出力を伴わないジョブ（スキャンジョブ等））を実行すること等が有り得る。より詳細には、一方のユーザは、複数の箇所（たとえば、装置左側、装置中央、装置右側の各箇所）を移動しつつ各箇所にて用紙詰まりの解消作業を行う。また、他方のユーザは、基本的には装置中央付近に存在することが多いものの、当該一方のユーザの移動に伴って当該一方のユーザの解消作業の邪魔にならない箇所に退避（移動）しつつ、スキャン操作を行う。
【０００８】
しかしながら、上記特許文献１の技術は、カーナビゲーション装置に関する技術であり、画像形成装置とは異なる分野の技術に関するものである。また、特許文献１の技術では、複数人（運転者および助手席同乗者）の使用が想定されてはいるものの、車内空間における複数人（運転者および助手席同乗者）の位置が固定されていることを前提としている。一方、画像形成装置を利用する複数のユーザの位置は、随時変動する可能性がある。特許文献１の技術を画像形成装置に適用するとしても、その位置が変動し得る複数のユーザに対してそれぞれ適切な画像を表示することは困難である。
【０００９】
また、上記特許文献２の技術は、１台のＭＦＰ（画像形成装置）が単一のユーザによって使用されることを前提としており、１台のＭＦＰが複数のユーザによって同時並列的に使用されることを想定していない。そのため、特許文献２の技術では、その位置が変動し得る複数のユーザのそれぞれに対して適切な画像を表示することは困難である。特に、上述のように当該複数のユーザが互いに異なる目的（印刷ジョブとは異なるスキャンジョブを実行する目的等）でＭＦＰを使用する場合等においては、各ユーザの位置が変動する状況が発生し易い。
【００１０】
そこで、本発明は、複数のユーザが画像形成装置を同時並列的に使用する場合において、複数のユーザのそれぞれに対して適切な画像を表示することが可能な技術を提供することを課題とする。
【課題を解決するための手段】
【００１１】
上記課題を解決すべく、請求項１の発明は、画像形成装置であって、複数の視野角範囲に対してそれぞれ異なる画面を表示する表示部と、前記画像形成装置の周辺に存在する複数のユーザの位置を検出する検出手段と、前記複数の視野角範囲のそれぞれに対して表示すべき各画面を前記複数のユーザの位置に基づいて決定する決定手段と、前記決定手段による決定内容に基づいて、前記複数の視野角範囲のそれぞれに対応する前記各画面を表示する表示制御手段と、を備えることを特徴とする。
【００１２】
請求項２の発明は、請求項１の発明に係る画像形成装置において、前記表示制御手段は、前記複数のユーザの位置関係の変更が検出される場合、変更後の位置関係に基づいて決定された各画面を前記複数の視野角範囲のそれぞれに対して表示することを特徴とする。
【００１３】
請求項３の発明は、請求項２の発明に係る画像形成装置において、前記表示制御手段は、前記複数のユーザのうち第１のユーザと第２のユーザとの位置関係の入れ替わりが前記検出手段によって検出される場合において、前記入れ替わり前にて前記第１のユーザ用の画面を第１の視野角範囲に対して表示し且つ前記第２のユーザ用の画面を第２の視野角範囲に対して表示していたときには、前記入れ替わり後においては、前記第１のユーザ用の画面を前記第２の視野角範囲に対して表示し且つ前記第２のユーザ用の画面を前記第１の視野角範囲に対して表示することを特徴とする。
【００１４】
請求項４の発明は、請求項３の発明に係る画像形成装置において、前記入れ替わり前において、前記第１のユーザは、印刷出力における用紙詰まりを解消する解消作業を第１の位置にて実行し、且つ、前記第２のユーザはスキャン作業を第２の位置にて実行し、前記第１の位置は、前記第１の視野角範囲に対して表示された画面を視認することが可能な領域である第１の画面視認領域内の位置であり、前記第２の位置は、前記第２の視野角範囲に対して表示された画面を視認することが可能な領域である第２の画面視認領域内の位置であり、前記入れ替わり後において、前記第１のユーザは、印刷出力における用紙詰まりを解消する解消作業を前記第２の画面視認領域内にて実行し、且つ、前記第２のユーザはスキャン作業を前記第１の画面視認領域内の位置にて実行することを特徴とする。
【００１５】
請求項５の発明は、請求項２の発明に係る画像形成装置において、前記表示制御手段は、前記複数のユーザの位置関係の変更検出前の第１の時点で、第１のユーザ用の画面を第１の視野角範囲に対して表示し且つ第２のユーザ用の画面を第２の視野角範囲に対して表示し、前記検出手段は、前記第１の時点の後の第２の時点で、前記第１の視野角範囲に対して表示された画面を視認することが可能な領域である第１の画面視認領域と前記第２の視野角範囲に対して表示された画面を視認することが可能な領域である第２の画面視認領域との２つの画面視認領域のうちの一方の画面視認領域内に前記第１のユーザと前記第２のユーザとの両ユーザが存在する旨を判定し、前記決定手段は、前記両ユーザのうち優先させるべきユーザである優先ユーザを決定し、前記表示制御手段は、前記第２の時点の後において、前記第１の視野角範囲と前記第２の視野角範囲との２つの視野角範囲のうち、前記一方の画面視認領域に対応する一方の視野角範囲に対して、前記優先ユーザ用の画面を表示することを特徴とする。
【００１６】
請求項６の発明は、請求項５の発明に係る画像形成装置において、前記表示制御手段は、前記２つの画面視認領域のうちの前記一方の画面視認領域内に前記両ユーザが存在する旨が判定される場合、前記２つの視野角範囲のうち前記一方の視野角範囲に対して前記優先ユーザ用の画面を表示するとともに、前記両ユーザのうち前記優先ユーザ以外のユーザである非優先ユーザ用の画面を前記２つの視野角範囲のうち他方の視野角範囲に対して表示することを特徴とする。
【００１７】
請求項７の発明は、請求項６の発明に係る画像形成装置において、前記表示制御手段は、前記一方の視野角範囲に対する表示対象画面が前記非優先ユーザ用の画面から前記優先ユーザ用の画面へと変更される場合には、前記表示対象画面の変更に先立って、前記一方の視野角範囲に対して前記非優先ユーザ向けの注意喚起用の画面を表示することを特徴とする。
【００１８】
請求項８の発明は、請求項５から請求項７のいずれかの発明に係る画像形成装置において、前記複数のユーザのそれぞれの作業内容を特定する作業内容特定手段、をさらに備え、前記決定手段は、前記複数のユーザのそれぞれの作業内容に基づいて前記優先ユーザを決定することを特徴とする。
【００１９】
請求項９の発明は、請求項８の発明に係る画像形成装置において、前記決定手段は、各作業内容の作業位置依存性を規定した情報に基づき、一方のユーザの作業が作業位置依存性を有し且つ他方のユーザの作業が作業位置依存性を有しないと判定される場合、前記一方のユーザを前記優先ユーザとして決定することを特徴とする。
【００２０】
請求項１０の発明は、請求項９の発明に係る画像形成装置において、前記決定手段は、前記両ユーザの作業が作業位置依存性の有無で区別できない場合において、各作業内容の作業種別を規定した情報に基づき、比較的高い優先順位を有する作業種別に属する作業を実行しているユーザを前記優先ユーザとして決定することを特徴とする。
【００２１】
請求項１１の発明は、請求項８から請求項１０のいずれかの発明に係る画像形成装置において、前記作業内容特定手段は、実行中の作業内容を特定するための条件が記述された作業内容特定用情報に基づいて、各ユーザの作業内容を特定することを特徴とする。
【００２２】
請求項１２の発明は、請求項８から請求項１１のいずれかの発明に係る画像形成装置において、前記作業内容特定手段は、各ユーザの実行中の作業内容を前記画像形成装置内の状態検出センサの検出結果に基づいて特定することを特徴とする。
【００２３】
請求項１３の発明は、請求項１の発明に係る画像形成装置において、前記複数のユーザのそれぞれの作業内容を特定する作業内容特定手段、をさらに備え、前記決定手段は、前記複数の視野角範囲のそれぞれに表示すべき各画面を前記複数のユーザのそれぞれの位置と前記複数のユーザのそれぞれの作業内容とに基づいてそれぞれ決定することを特徴とする。
【００２４】
請求項１４の発明は、請求項１３の発明に係る画像形成装置において、前記表示部の第１の視野角範囲に対して表示された画面を視認することが可能な領域である第１の画面視認領域と前記表示部の第２の視野角範囲に対して表示された画面を視認することが可能な領域である第２の画面視認領域との２つの画面視認領域のうちの一方の画面視認領域内に第１のユーザと第２のユーザとの両ユーザが存在する旨が前記検出手段によって判定される場合、前記決定手段は、前記複数のユーザのうち優先させるべきユーザである優先ユーザを前記複数のユーザのそれぞれの作業内容に基づいて決定し、前記表示制御手段は、前記第１の視野角範囲と前記第２の視野角範囲との２つの視野角範囲のうち、前記一方の画面視認領域に対応する一方の視野角範囲に対して、前記優先ユーザ用の画面を表示することを特徴とする。
【００２５】
請求項１５の発明は、請求項１４の発明に係る画像形成装置において、前記表示制御手段は、前記２つの画面視認領域のうちの前記一方の画面視認領域内に前記両ユーザが存在する旨が判定される場合、前記２つの視野角範囲のうち前記一方の視野角範囲に対して前記優先ユーザ用の画面を表示するとともに、前記両ユーザのうち前記優先ユーザ以外のユーザである非優先ユーザ用の画面を前記２つの視野角範囲のうち他方の視野角範囲に対して表示することを特徴とする。
【００２６】
請求項１６の発明は、請求項１５の発明に係る画像形成装置において、前記表示制御手段は、前記一方の視野角範囲に対して前記優先ユーザ用の画面を表示する前に、前記一方の視野角範囲に対して前記非優先ユーザ向けの注意喚起用の画面を表示することを特徴とする。
【００２７】
請求項１７の発明は、請求項１４から請求項１６のいずれかの発明に係る画像形成装置において、前記決定手段は、各作業内容の作業位置依存性を規定した情報に基づき、一方のユーザの作業が作業位置依存性を有し且つ他方のユーザの作業が作業位置依存性を有しないと判定される場合、前記一方のユーザを前記優先ユーザとして決定することを特徴とする。
【００２８】
請求項１８の発明は、請求項１７の発明に係る画像形成装置において、前記決定手段は、前記両ユーザの作業が作業位置依存性の有無で区別できない場合において、各作業内容の作業種別を規定した情報に基づき、比較的高い優先順位を有する作業種別に属する作業を実行しているユーザを前記優先ユーザとして決定することを特徴とする。
【００２９】
請求項１９の発明は、請求項１３から請求項１８のいずれかの発明に係る画像形成装置において、前記作業内容特定手段は、実行中の作業内容を特定するための条件が記述された作業内容特定用情報に基づいて、各ユーザの作業内容を特定することを特徴とする。
【００３０】
請求項２０の発明は、請求項１３から請求項１９のいずれかの発明に係る画像形成装置において、前記作業内容特定手段は、各ユーザの実行中の作業内容を前記画像形成装置内の状態検出センサの検出結果に基づいて特定することを特徴とする。
【００３１】
請求項２１の発明は、画像形成装置に内蔵されたコンピュータに、ａ）前記画像形成装置の周辺に存在する複数のユーザの位置を検出するステップと、ｂ）前記画像形成装置の表示部であって複数の視野角範囲に対してそれぞれ異なる画面を表示する表示部にて前記複数の視野角範囲のそれぞれに対して表示すべき各画面を、前記複数のユーザの位置に基づいてそれぞれ決定するステップと、ｃ）前記ステップｂ）での決定内容に基づいて、前記複数の視野角範囲のそれぞれに対応する前記各画面を表示するステップと、実行させるためのプログラムであることを特徴とする。
【発明の効果】
【００３２】
請求項１から請求項２１に記載の発明によれば、複数のユーザが画像形成装置を同時並列的に使用する場合において、複数のユーザのそれぞれに対して適切な画像を表示することが可能である。
【００３３】
特に、請求項３に記載の発明によれば、ユーザの位置関係の入れ替わりが発生する場合において、各ユーザに対して適切な画像を表示することが可能である。
【００３４】
また特に、請求項５に記載の発明によれば、両ユーザが同じ画面視認領域内に存在する場合において、両ユーザ相互間の調整を図ることが可能である。
【００３５】
また、特に請求項１３に記載の発明によれば、複数のユーザのそれぞれの作業内容にも基づいて優先ユーザが適切に決定され得る。
【図面の簡単な説明】
【００３６】
【図１】ＭＦＰ（画像形成装置）の外観を示す図である。
【図２】ＭＦＰの機能ブロックを示す図である。
【図３】ＭＦＰの動作（主に第１段階の動作）を示すフローチャートである。
【図４】ＭＦＰの動作（主に第２段階の動作）を示すフローチャートである。
【図５】作業内容一覧リストを示す図である。
【図６】作業属性テーブルを示す図である。
【図７】決定基準テーブルを示す図である。
【図８】ＭＦＰ付近を上方から見た図である。
【図９】各ユーザの移動前の位置を示す図である。
【図１０】各ユーザが移動する様子を示す図である。
【図１１】各ユーザの移動後の位置を示す図である。
【図１２】第１の動作例におけるユーザ移動前後の状況を纏めて示す図である。
【図１３】他の動作例の一部を示す図である。
【図１４】他の動作例において注意喚起表示が行われている様子を示す図である。
【図１５】注意喚起画面を示す図である。
【図１６】第２実施形態に係るＭＦＰの動作（一部）を示すフローチャートである。
【図１７】第２の動作例における一のユーザの最初の存在位置を示す図である。
【図１８】別のユーザが装置右側から移動してきた様子（両ユーザが同一の画面視認領域内に存在する状況）を示す図である。
【図１９】第２実施形態において注意喚起画面が表示される様子を示す図である。
【図２０】一のユーザの他の画面視認領域への移動後における各ユーザの位置を示す図である。
【図２１】ＭＦＰの周辺の熱分布を示す上面図である。
【図２２】複数の光センサユニットがＭＦＰの前面部において左右方向に配列されている様子等を示す上面図である。
【図２３】各光センサユニットの詳細構成を示す図である。
【発明を実施するための形態】
【００３７】
以下、本発明の実施形態を図面に基づいて説明する。
【００３８】
＜１．第１実施形態＞
＜１−１．構成＞
図１は、ＭＦＰ（画像形成装置）１０の外観を示す図であり、図２は、ＭＦＰ１０の機能ブロックを示す図である。ここでは、画像形成装置として、ＭＦＰ（マルチ・ファンクション・ペリフェラル（Multi-Functional Peripheral））を例示する。
【００３９】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６、位置検出部７およびコントローラ（制御部）９等を備えており、これらの各部を複合的に動作させることによって、各種の機能を実現する。なお、ＭＦＰ１０は、画像処理装置などとも称される。
【００４０】
画像読取部２は、ＭＦＰ１０の所定の位置（自動原稿供給部（ＡＤＦ：auto document feeder）あるいはガラス面等）に載置された原稿を光学的に読み取って（すなわちスキャンして）、当該原稿の画像データ（原稿画像あるいはスキャン画像とも称する）を生成する処理部である。この画像読取部２は、スキャナ部であるとも称される。
【００４１】
印刷出力部３は、印刷対象に関するデータに基づいて紙などの各種の媒体に画像を印刷出力する出力部である。
【００４２】
通信部４は、公衆回線等を介したファクシミリ通信を行うことが可能な処理部である。また、通信部４は、各種のネットワーク通信（有線通信および無線通信）を行うことも可能である。
【００４３】
格納部５は、ハードディスクドライブ（ＨＤＤ）等の記憶装置で構成される。格納部５には、後述する各種のデータテーブル（たとえば、作業内容一覧リスト３１０（図５），作業属性テーブル３２０（図６），決定基準テーブル３３０（図７）等）等が予め格納されている。
【００４４】
操作部６は、ＭＦＰ１０に対する操作入力を受け付ける操作入力部６ａと、各種情報の表示出力を行う表示部６ｂとを備えている。
【００４５】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００４６】
また、このタッチパネル２５は、マルチビューディスプレイを備えて構成されている。マルチビューディスプレイは、複数の視野角範囲（換言すれば、複数の方向）に対してそれぞれ異なる画面を表示することが可能な表示部である。ここでは、マルチビューディスプレイとして、２つの異なる視野角範囲に対してそれぞれ異なる画面（画像）を表示することが可能なデュアルビューディスプレイを採用する。具体的には、図９の上面図に示すように、このデュアルビューディスプレイは、ＭＦＰに向かって左方向（ＭＦＰからその前方に向かって右方向）の視野角範囲Ｒ１（たとえば、上面視において、表示部の表示面の垂線に対する角度で、＋６５度（degree）から＋８５度の範囲（（７５±１０）度の範囲））に対して一の画面を表示することが可能である。また、当該デュアルビューディスプレイは、正面方向の視野角範囲Ｒ２（たとえば、上面視において、表示部の表示面の垂線に対する角度で、−２０度から＋２０度の範囲（（０±１０）度の範囲））に対して他の画面を表示することが可能である（図９参照）。
【００４７】
位置検出部７は、たとえばカメラ７ｂ（図１参照）等を備えて構成される。位置検出部７は、画像形成装置１０の周辺（近傍）に存在する各人物（ユーザ）を検出するとともに、当該各人物の存在位置（水平位置）を検出することが可能である。
【００４８】
コントローラ（制御部）９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよい。あるいは、当該プログラムは、通信ネットワークを経由してダウンロードされ、ＭＦＰ１０にインストールされるようにしてもよい。
【００４９】
具体的には、図２に示すように、コントローラ９は、当該プログラムの実行により、通信制御部１１と入力制御部１２と表示制御部１３と作業内容特定部１５と決定部１６とを含む各種の処理部を実現する。
【００５０】
通信制御部１１は、他の装置（パーソナルコンピュータ等）との間の通信動作を通信部４等と協働して制御する処理部である。通信制御部１１は、各種データの送信動作を制御する送信制御部と各種データの受信動作を制御する受信制御部とを有する。
【００５１】
入力制御部１２は、操作入力部６ａ（タッチパネル２５等）に対する操作入力動作を制御する制御部である。たとえば、入力制御部１２は、タッチパネル２５に表示された操作画面に対する操作入力を受け付ける動作を制御する。
【００５２】
表示制御部１３は、表示部６ｂ（タッチパネル２５等）についての表示制御を行う処理部である。たとえば、表示制御部１３は、ＭＦＰ１０を操作するための操作画面等をタッチパネル２５に表示させる。特に、表示制御部１３は、マルチビューディスプレイにおける複数の視野角範囲のそれぞれにおける表示動作を制御する。
【００５３】
作業内容特定部１５は、ＭＦＰ１０内に設けられた各種のセンサ（状態検出センサ）の検出結果等に基づき、複数のユーザのそれぞれの作業内容を特定する処理部である。
【００５４】
決定部１６は、タッチパネル２５（マルチビューディスプレイ）の複数の視野角範囲のそれぞれに表示すべき各画面を複数のユーザの位置に基づいてそれぞれ決定する処理部である。決定部１６は、各作業内容の作業種別を規定した情報等に基づき、優先ユーザ（後述）を決定し、当該優先ユーザ用の画面を優先して表示させるべき旨を決定する動作等をも実行する。表示制御部１３は、決定部１６による決定内容に基づいて、複数の視野角範囲のそれぞれに対応する各画面を表示する動作を制御する。
【００５５】
さらに、ＭＦＰ１０は、フィニッシャ部３０（図１）を備えている。フィニッシャ部３０は、印刷出力された用紙に関するフィニッシング処理（穴開け処理、ステープラーによる綴じ処理等）を実行するハードウエアである。フィニッシャ部３０は、ＭＦＰ１０の左寄り（装置左側）に存在する。
【００５６】
＜１−２．撮影画像に基づくユーザ位置取得＞
上述のように、ＭＦＰ１０の位置検出部７は、カメラ７ｂ等を備えて構成されており、画像形成装置１０の周辺（近傍）に存在する人物（ユーザ）を検出するとともに、当該人物の存在位置（水平位置）を検出する。
【００５７】
より詳細には、カメラ（詳細には魚眼レンズカメラ）７ｂ（図１参照）は、ＭＦＰ１０（詳細にはタッチパネル２５）の前側正面に設けられており、ＭＦＰ１０よりも前側の全空間（半球状空間）内の全ての被写体を撮影する。そして、当該カメラ７ｂによる撮影画像に対して歪み補正処理を施し且つ視点変換処理を施すこと等によって、ＭＦＰ１０の配置空間を上から見た画像（上面視画像（図８参照））が生成される。このような変換後の画像に基づいて、ＭＦＰ１０は、当該画像内の人物の存在を検出するとともに、当該人物の存在位置（水平位置）Ｐを取得することが可能である。各ユーザの存在位置Ｐは、たとえば、鉛直方向に垂直な水平平面内に設けられたＸＹ座標系の座標値（Ｘ，Ｙ）で表現される。あるいは、各ユーザの存在位置は、当該水平平面内に設けられた極座標系の座標値（ｒ，θ）で表現されてもよい。このような各種の座標系によって表された座標値によって、各ユーザの水平方向における位置（特に、操作パネル部６ｃ（表示部）の横方向における位置等）が認識される。
【００５８】
このような各ユーザの位置測定動作は、たとえば、所定時間（たとえば、数百ミリ秒〜数秒程度）間隔で実行される。
【００５９】
＜１−３．作業内容に基づくユーザ特定処理＞
また、作業内容特定部１５は、作業内容一覧リスト３１０（図５）に基づいて、複数のユーザのそれぞれの作業内容を特定する。換言すれば、作業内容特定部１５は、ＭＦＰ１０内に設けられた各種の状態検出センサの検出結果等に基づいて各ユーザの作業内容を特定する。
【００６０】
図５に示されるように、作業内容一覧リスト３１０には、各種の作業内容のそれぞれに関する固有動作情報が規定されている。作業内容一覧リスト３１０（図５参照）は、実行中の作業内容を特定するための条件が記述された作業内容特定用情報である、とも表現される。
【００６１】
具体的には、フィニッシャジャム（フィニッシャ部３０での紙詰まり）が発生したこととフィニッシャ扉が開けられたこととがＭＦＰ内部の状態検出センサ（ジャム検出センサおよびフィニッシャ扉開閉検出センサ等）によって検出されると、フィニッシャジャムの解消作業が開始されたことが検出される。換言すれば、フィニッシャジャムの解消作業が実行中であることが検出される。
【００６２】
また、手差しジャム（手差し部での紙詰まり）が発生したことと手差しジャム解消用の扉（手差し扉とも称する）が開けられたこととがＭＦＰ内部の状態検出センサ（ジャム検出センサおよび手差し扉開閉検出センサ等）によって検出されると、手差しジャムの解消作業が開始されたことが検出される。換言すれば、手差しジャムの解消作業が実行中であることが検出される。
【００６３】
また、給紙トレイジャム（給紙トレイ部での紙詰まり）が発生したことと給紙トレイ部が引き出されたこととがＭＦＰ内部の状態検出センサ（ジャム検出センサおよび給紙トレイ開閉検出センサ等）によって検出されると、給紙トレイジャムの解消作業が開始されたことが検出される。換言すれば、給紙トレイジャムの解消作業が実行中であることが検出される。
【００６４】
また、ＵＳＢメモリが装置右側のＵＳＢ端子に差し込まれ且つスキャンボタンが押下されたこととがＭＦＰ内部の状態検出センサ（ＵＳＢ差し込み検出センサおよびスキャンボタン押下センサ等）によって検出されると、「スキャンｔｏＵＳＢ」（原稿のスキャン画像を生成し且つ当該スキャン画像をＵＳＢメモリに格納するジョブ）の作業が開始されたことが検出される。換言すれば、「スキャンｔｏＵＳＢ」の作業が実行中であることが検出される。
【００６５】
また、ＡＤＦに原稿が載置されたこととスキャンボタンが押下されたこととがＭＦＰ内部の状態検出センサ（原稿載置検出センサおよびスキャンボタン押下センサ等）によって検出されると、「通常スキャン」（原稿のスキャン画像を生成し且つ当該スキャン画像を指定された保存場所（ＵＳＢメモリ以外の格納部）（ネットワーク接続された他のコンピュータ内等）に格納するジョブ）の作業が開始されたことが検出される。換言すれば、「通常スキャン」の作業が実行中であることが検出される。
【００６６】
また、ＡＤＦに原稿が載置されたこととボックスボタンが押下されたこととがＭＦＰ内部の状態検出センサ（原稿載置検出センサおよびボックスボタン押下センサ等）によって検出されると、「スキャンｔｏＢＯＸ」（原稿のスキャン画像を生成し且つ当該スキャン画像を指定された保存場所（ＭＦＰ１０のＨＤＤ内の所定領域（ＢＯＸ））に格納するジョブ）の作業が開始されたことが検出される。換言すれば、「スキャンｔｏＢＯＸ」の作業が実行中であることが検出される。
【００６７】
また、トナーボトル装着箇所に対応する正面扉（前扉）が開けられたこととトナーボトルが取り外されたこととがＭＦＰ内部の状態検出センサ（正面扉開閉検出センサおよびトナーボトル着脱検出センサ等）によって検出されると、トナーの交換作業が開始されたことが検出される。換言すれば、トナーの交換作業が実行中であることが検出される。
【００６８】
他の各作業についても同様であり、各作業の特定用条件の成否に基づいて各作業の開始（換言すれば、実行中）の旨が検出（判定）される。
【００６９】
＜１−４．動作＞
図３および図４は、ＭＦＰ１０の動作を示すフローチャートである。図３は、第１段階の動作（２人のユーザにそれぞれ対応する各視野角範囲に対して個別の画面を最初に表示する動作）（図９も参照）を主に示す図である。また、図４は、第２段階の動作（当該２人のユーザの移動に伴って各視野角範囲に対する表示画面が変更される動作）（図１１も参照）を主に示す図である。
【００７０】
以下では、具体的な一の動作例（第１の動作例）を示しながら、ＭＦＰ１０の動作について説明する。
【００７１】
第１の動作例は、ジャム（フィニッシャジャムおよび給紙トレイジャム）の解消作業を行うユーザＵ１とスキャンジョブを実行するユーザＵ２とが同時並列的に１台のＭＦＰ１０を利用する際の動作の一例である。
【００７２】
第１の動作例について、図９〜図１２（ＭＦＰ１０を主に上方から見た図（上面図））をも参照しながら説明する。図９〜図１１は、第１の動作例に係る動作を時系列で示す図である。図９は、ユーザＵ１，Ｕ２の移動前の位置を示す図であり、図１０はユーザＵ１，Ｕ２が移動する様子を示す図であり、図１１は、ユーザＵ１，Ｕ２の移動後の位置を示す図である。図９および図１１においては、各視野角範囲Ｒ１，Ｒ２に関する表示内容等も併せて示されている。また、図１２は、第１の動作例におけるユーザ移動前の状況（図の上半部分参照）とユーザ移動後の状況（図の下半部分参照）とを纏めて示す図である。
【００７３】
たとえば、ネットワークプリントジョブをＭＦＰ１０に実行させていたユーザＵ１が、ネットワークプリントジョブ中におけるＭＦＰ１０での紙詰まりに気付き、まずＭＦＰ１０の近傍（具体的には、まずＭＦＰ１０の左側のフィニッシャ付近）に移動する（図９参照）。
【００７４】
ＭＦＰ１０は、ステップＳ１１（図３）において、自装置の周辺に移動してきたユーザＵ１を検出するとともに、当該ユーザＵ１の存在位置を検出する。
【００７５】
また、ＭＦＰ１０は、ステップＳ１２において、ユーザＵ１の作業内容を特定する。
【００７６】
具体的には、フィニッシャジャム（フィニッシャでの紙詰まり）が発生したこととフィニッシャ扉が開けられたこととがＭＦＰ内部の状態検出センサによって検出されると、フィニッシャジャムの解消作業が開始されたこと（当該解消作業の実行中）が、図５の作業内容一覧リスト３１０等に基づき検出される。そして、装置左側のフィニッシャ部３０の近傍に存在する人物（ユーザＵ１）がフィニッシャジャムの解消作業を行っている人物である旨をＭＦＰ１０は判定する。換言すれば、ユーザＵ１の作業内容はフィニッシャジャムの解消作業である旨が判定される。
【００７７】
ステップＳ１３においては、他のユーザがＭＦＰ１０の周辺に存在するか否かが判定される。ステップＳ１３の判定動作は、位置検出部７による検出結果（各人物の存否および存在位置に関する検出結果等）に基づいて実行される。
【００７８】
他のユーザ（ユーザＵ２）が存在しない場合には、ステップＳ１８に進む。ステップＳ１８では、ユーザＵ１の作業内容に関する画面（フィニッシャジャムの解消手順の説明画面等）が、タッチパネル２５の全視野角範囲（たとえば、−１７８度から＋１７８度までの範囲）に向けて表示される。なお、これに限定されず、全視野角範囲のうち視野角範囲Ｒ１のみに対して、ユーザＵ１用の画面２１０が表示されるようにしてもよい。
【００７９】
その後、ステップＳ１９の判定処理が行われる。ユーザＵ１の作業が終了しユーザＵ１がＭＦＰ１０から離れた旨がステップＳ１９で判定されると、フローチャートの動作は終了する。ユーザＵ１の作業が終了していない旨が判定される場合は、ステップＳ１１に戻り、同様の動作が繰り返される。
【００８０】
一方、他のユーザ（ユーザＵ２）が存在する場合には、ステップＳ１３からステップＳ１４に進む。ステップＳ１４では、ＭＦＰ１０は、自装置の周辺に移動してきたユーザＵ２（スキャンジョブの実行のためにＭＦＰ１０に近づいてきたユーザＵ２）を検出するとともに、当該ユーザＵ２の存在位置を検出する。
【００８１】
また、ＭＦＰ１０は、ステップＳ１５において、ユーザＵ２の作業内容を特定する。
【００８２】
具体的には、ＡＤＦ（自動原稿供給部）に原稿が載置され且つ「スキャン」ボタンが押下されたことがＭＦＰ内部の各種センサによって検出されると、通常スキャンの設定操作が開始されたこと（通常スキャン操作の実行中）が、図５の作業内容一覧リスト３１０等に基づき検出される。そして、ユーザＵ１以外の人物（詳細には装置中央の近傍に存在する他の１人の人物）（ユーザＵ２）が通常スキャンの設定操作を行っている人物である旨をＭＦＰ１０は判定する。換言すれば、ユーザＵ２の作業内容は通常スキャンの設定操作（設定作業）である旨が判定される。
【００８３】
そして、ステップＳ１６では、ＭＦＰ１０のタッチパネル２５は、ユーザＵ１の作業内容に関する画面２１０（ここでは、フィニッシャジャムの解消手順の説明画面２１１）を第１の視野角範囲Ｒ１に対して表示する（図９）。
【００８４】
また、ステップＳ１７では、ＭＦＰ１０のタッチパネル２５は、ユーザＵ２の作業内容に関する画面２２０（ここでは、スキャンジョブの設定画面２２１）を第２の視野角範囲Ｒ２に対して表示する（図９）。
【００８５】
このように、ユーザＵ１が装置左側の位置でフィニッシャジャム解消作業を実行し且つユーザＵ２が装置右側（装置中央）の位置で通常スキャン設定作業を実行している場合、或る時点Ｔ１において、視野角範囲Ｒ１に対してユーザＵ１用の画面２１０が表示され且つ視野角範囲Ｒ２に対してユーザＵ２用の画面２２０が表示される（図９参照）。
【００８６】
このような状態において、各ユーザＵ１，Ｕ２は、自分用の画面を見ながら、自分の作業をそれぞれ進行させることが可能である。具体的には、ユーザＵ１は、自分用の画面２１０（２１１）を見ながら、自分の作業（フィニッシャージャム解消作業）を進行させることが可能である。また、ユーザＵ２は、自分用の画面２２０（２２１）を見ながら、自分の作業（スキャン設定作業）を進行させることが可能である。
【００８７】
ステップＳ１７の次においては、ステップＳ３１以降の処理が実行される。これについては後述する。
【００８８】
第１段階の動作（図９）の後、図１０に示すように、ユーザＵ１は、装置左側でのフィニッシャージャムの解消作業を終了させると、今度は、装置右側（装置中央）へ移動して、給紙トレイジャム（給紙トレイにおける用紙詰まり）の解消作業を開始する。一方、ユーザＵ２は、ユーザＵ１と協議して、ユーザＵ１の邪魔にならないように装置左側に移動する。
【００８９】
これに対して、ＭＦＰ１０は、ステップＳ３１において各ユーザＵ１，Ｕ２の存在位置を再び検出する。
【００９０】
ステップＳ３３〜Ｓ３５においては、各ユーザＵ１，Ｕ２による他ユーザ用の画面視認領域Ｄ２，Ｄ１（次述）への移動が検出されたか否かに応じた分岐処理が実行される。
【００９１】
具体的には、ステップＳ３３においては、ユーザＵ１の移動動作（詳細には他のユーザＵ２用の画面視認領域Ｄ２（図１０参照）への移動動作）が検出されたか否かが判定される。同様に、ステップＳ３４，Ｓ３５においては、それぞれ、ユーザＵ２の移動動作（詳細には他のユーザＵ１用の画面視認領域Ｄ１（図１０参照）への移動動作）が検出されたか否かが判定される。なお、画面視認領域Ｄ１は、タッチパネル２５の視野角範囲Ｒ１に対して表示された画面をユーザが視認することが可能な領域（ＭＦＰ１０の載置面に平行な平面内の一部領域）である（図１０参照）。同様に、画面視認領域Ｄ２は、タッチパネル２５の視野角範囲Ｒ２に対して表示された画面をユーザが視認することが可能な領域である。
【００９２】
また、ここでは、各ユーザが自分用の現在の画面視認領域Ｄから他ユーザ用の画面視認領域Ｄへの移動が完了したと判定されることを条件として、各ユーザの移動動作（詳細には他ユーザ用の画面視認領域への移動動作）が検出されるものとする。
【００９３】
ただし、これに限定されず、たとえば、各ユーザが自分用の現在の画面視認領域Ｄから離脱した時点で、各ユーザの移動動作（他ユーザ用の画面視認領域Ｄへの移動動作）が検出されてもよい。具体的には、ユーザＵ１が自分用の現在の画面視認領域Ｄ１から離脱した時点（他ユーザ用の画面視認領域Ｄ２へは未だ到達していない時点（画面視認領域Ｄ２への移動動作は実際には未だ完了していない時点））で、ユーザＵ１の移動動作（詳細には他ユーザＵ２用の画面視認領域Ｄ２への移動動作）が検出されてもよい。なお、この際には、ユーザＵ１が自分用の現在の画面視認領域Ｄ１から離脱し且つユーザＵ１の移動が他ユーザＵ２用の画面視認領域Ｄ２へ向かっていることをも条件として、当該ユーザＵ１の移動動作（他ユーザＵ２用の画面視認領域Ｄ２への移動動作）が検出されることが好ましい。ユーザＵ２の移動動作に関しても同様である。
【００９４】
そして、ステップＳ３３〜Ｓ３５の判定結果に応じて次のような（１）（２）（３）の動作が行われる。
【００９５】
（１）各ユーザＵ１，Ｕ２による他ユーザ用の画面視認領域への移動動作の何れもが検出されない場合（換言すれば、各ユーザＵ１，Ｕ２が移動していない場合）には、ステップＳ３３からステップＳ３５を経由して直ちにステップＳ３９に進み、再びステップＳ３１に戻る。
【００９６】
（２）また、ユーザＵ１，Ｕ２の双方の移動動作（詳細には他ユーザ用の画面視認領域への移動動作）が検出された場合には、次のような動作が実行される。たとえば、ユーザＵ１が装置左側から装置右側（装置中央）へと移動し且つユーザＵ２が装置右側（中央）から装置左側に移動する場合、換言すれば、両ユーザＵ１，Ｕ２の相対位置が左右方向において入れ替わった場合、次のような動作が実行される。
【００９７】
具体的には、ユーザＵ１の移動動作（他のユーザＵ２用の画面視認領域Ｄ２（図１０参照）への移動動作）が検出され且つユーザＵ２の移動動作（他のユーザＵ１用の画面視認領域Ｄ１（図１０参照）への移動動作）が検出された場合には、ステップＳ３３，Ｓ３４を経由してステップＳ３６に進む。この場合、水平方向における複数のユーザＵ１，Ｕ２の位置関係（相対位置関係）が変更された旨（具体的には、タッチパネル２５の左右方向における両ユーザＵ１，Ｕ２の位置（横方向位置）が入れ替わった旨）が判定され、ステップＳ３６に進む。
【００９８】
ステップＳ３６では、図１１に示すように、変更後の位置関係に基づいて決定された各画面が複数の視野角範囲Ｒ１，Ｒ２のそれぞれに対して表示される。換言すれば、時点Ｔ１よりも後の時点Ｔ３において、図１１のような表示状態が実現される。
【００９９】
詳細には、第１のユーザＵ１と第２のユーザＵ２との横方向（左右方向）における位置関係の入れ替わりが検出されると、各ユーザ用の画面の表示対象の視野角範囲が他ユーザ用の視野角範囲へと入れ替えられる（図１２も参照）。詳細には、当該位置関係の入れ替わり前にて第１のユーザＵ１用の画面２１０が第１の視野角範囲Ｒ１に対して表示され且つ第２のユーザＵ２用の画面２２０が第２の視野角範囲Ｒ２に対して表示されていた場合（図９参照）には、当該入れ替わり後においては、図１１のような表示状態に変更される。すなわち、第１のユーザＵ１用の画面２１０が第２の視野角範囲Ｒ２に対して表示され且つ第２のユーザＵ２用の画面２２０が第１の視野角範囲Ｒ１に対して表示される。換言すれば、ユーザＵ１，Ｕ２の位置関係の入れ替わり後においては、ＭＦＰ１０は、ユーザＵ１用の画面２１０を入替後のユーザＵ１の位置に向けて表示し且つユーザＵ２用の画面２２０を入替後のユーザＵ２の位置に向けて表示する。
【０１００】
なお、この動作例では、入れ替わり後においては、各ユーザの作業内容が更新され、更新後の作業内容に基づく新たな画面が各ユーザ用の画面として表示される。たとえば、第１のユーザＵ１の更新後の作業内容（給紙トレイジャムの解消作業）に関する画面２１２（給紙トレイジャム解消手順の説明画面）が、第１のユーザＵ１用の新たな画面２１０として表示される。第２のユーザＵ２の作業は変更されていないので、当該ユーザＵ２用の画面２２０は、引き続き同じ画面２２１である。
【０１０１】
上述のように、ユーザＵ２が、ユーザＵ１の邪魔にならないように装置左側の位置に移動して、両ユーザＵ１，Ｕ２の入れ替わりが発生した場合には、このような動作（ステップＳ３３，Ｓ３４，Ｓ３６）が実行される。
【０１０２】
その後、ステップＳ３９に進む。ステップＳ３９では、（一方のユーザの作業が終了し）一方のユーザがＭＦＰ１０から離れたか否かが判定される。いずれのユーザもＭＦＰ１０から未だ離れていない旨（換言すれば、両ユーザの作業が継続中の旨）が判定される場合、ステップＳ３１に戻り、同様の動作が繰り返される。これに対して、一方のユーザがＭＦＰ１０から離れた旨が判定される場合、ステップＳ１８（図３）に戻り、当該一方のユーザ向けの表示等が行われる。なお、ステップＳ１８に戻った際には、他方のユーザ（作業継続中のユーザ）（Ｕ１，或いはＵ２）が新たなユーザＵ１であるとみなされて、処理が継続される。
【０１０３】
（３）また、両ユーザＵ１，Ｕ２のうちの一方の移動動作（詳細には他ユーザ用の画面視認領域への移動動作）のみが検出された場合には、次のような動作（ステップＳ４１等）が実行される。
【０１０４】
具体的には、ユーザＵ１の移動動作（他のユーザＵ２用の画面視認領域Ｄ２（図１０参照）への移動動作）が検出されるものの、ユーザＵ２の移動動作（他のユーザＵ１用の画面視認領域Ｄ１への移動動作）が検出されない場合には、ステップＳ３３，Ｓ３４を経由してステップＳ４１に進む。また、ユーザＵ１の移動動作（他のユーザＵ２用の画面視認領域Ｄ２（図１０参照）への移動動作）が検出されず、且つ、ユーザＵ２の移動動作（他のユーザＵ１用の画面視認領域Ｄ１への移動動作）が検出される場合には、ステップＳ３３，Ｓ３５を経由してステップＳ４１に進む。
【０１０５】
このように、両ユーザのうち一方のユーザのみの移動動作（他のユーザ用の画面視認領域への移動動作）が検出される場合には、２つの画面視認領域Ｄ１，Ｄ２のうちの一方の画面視認領域内に両ユーザＵ１，Ｕ２が存在する旨が位置検出部７等によって判定される。
【０１０６】
たとえば、前者のケース（ステップＳ３３，Ｓ３４を経由してステップＳ４１に進むケース）として、図１０のユーザ移動に代えて図１３のユーザ移動が行われる場合が想定される。具体的には、図１３に示されるように、ユーザＵ１が右側に移動し且つユーザＵ２が少し後ろに下がる状況（ユーザＵ２が後ろに下がってユーザＵ１に場所を譲るような状況）が想定される。ただし、ユーザＵ２は、未だ装置左側への移動を開始していない。この場合、２つの画面視認領域Ｄ１，Ｄ２のうちの一方の画面視認領域Ｄ２内に両ユーザＵ１，Ｕ２が存在する（図１４参照）旨が位置検出部７等によって判定される。換言すれば、ユーザＵ１が装置左側から装置右側（装置中央）へと移動する一方で、ユーザＵ２が（装置左側に未だ移動せず）装置右側（中央）に未だ留まっている場合（図１３参照）には、一方の画面視認領域Ｄ２内に両ユーザＵ１，Ｕ２が存在する（図１４参照）旨が判定される。そして、ステップＳ４１に進む。
【０１０７】
ステップＳ４１では、複数のユーザＵ１，Ｕ２のうち、その作業実行が優先されるべきユーザ（優先ユーザとも称する）が決定されるとともに、当該優先ユーザ用の画面を優先して表示させるべき旨が決定される。優先ユーザは、複数のユーザのそれぞれの作業内容に基づいて決定される。
【０１０８】
具体的には、図７のような決定基準テーブル３３０に基づいて、優先ユーザが決定される。当該決定基準テーブル３３０においては、各ユーザの作業の作業位置依存性および各ユーザの作業の作業種別が考慮される。各作業の作業位置依存性および各作業の作業種別は、図６の作業属性テーブル３２０に規定されている。
【０１０９】
まず、図６の作業属性テーブル３２０について説明する。
【０１１０】
作業属性テーブル３２０には、ＭＦＰ１０に関して実行される複数の作業が列挙されている。
【０１１１】
当該複数の作業は、その緊急性等に鑑み、大きく３つの種別（「通常使用時」、「エラー時」、「非緊急調整時（特殊ケース）」）に分類されて列挙されている。
【０１１２】
たとえば、「通常スキャン」、「スキャンｔｏＵＳＢ」、「スキャンｔｏＢＯＸ」、「手差し印刷」、「割り込みコピー」、「通常コピー」、「ファクシミリ送信」、「ＵＳＢメモリからの直接印刷」等は、通常使用時の作業であることから、種別「通常使用時」に分類される。
【０１１３】
また、「フィニッシャ紙詰まりの解消」、「右ドア部の紙詰まりの解消」、「給紙トレイの紙詰まりの解消」、「トナーの交換」、「用紙の補充」、「テスト印刷」、「トラブルメッセージ表示確認」等は、エラー発生時の作業（エラー解消のための作業）であることから、種別「エラー時」に分類される。
【０１１４】
さらに、「サービスマンによるテストプリント」、「サービスマンによるセンサ動作チェック」、「サービスマンによる消耗品交換」等は、サービスマン等による非緊急調整時の作業であることから、種別「非緊急調整時」に分類される。
【０１１５】
また、作業属性テーブル３２０においては、列挙される複数の作業のそれぞれに関して、「作業位置依存性」が規定されている。
【０１１６】
「作業位置依存性」は、各作業が位置に依存するものであるか否かに関する性質である。
【０１１７】
たとえば、フィニッシャ紙詰まりの解消作業は、装置左側のフィニッシャ扉を開けた状態で行われる作業であるため、「装置左側」で行われることを要する。したがって、「フィニッシャ紙詰まりの解消作業」は、「装置左側」に対する作業位置依存性を有している。
【０１１８】
同様に、「スキャンｔｏＵＳＢ」（スキャン画像をＵＳＢメモリに格納するジョブ）の実行作業は、装置右側のＵＳＢ端子にＵＳＢメモリを装着する操作を伴って行われる作業であるため、「装置右側」で行われることを要する。したがって、「スキャンｔｏＵＳＢ」の実行作業は、「装置右側」に対する作業位置依存性を有している。
【０１１９】
同様に、給紙トレイの紙詰まりの解消作業は、装置中央の給紙トレイを引き出した状態で行われる作業であるため、「装置中央」で行われることを要する。したがって、「給紙トレイの紙詰まりの解消作業」は、「装置中央」に対する作業位置依存性を有している。ただし、この実施形態では、マルチビューディスプレイとしてデュアルビューディスプレイを採用しており、２つの異なる視野角範囲に異なる画面を切替表示することを意図しているため、「作業位置」も２つの位置（具体的には、「左」（装置左側）および「右」（装置右側））に大別するものとする。詳細には、「装置中央」の位置依存性を「右」の位置依存性（換言すれば、２つの視野角範囲Ｒ１，Ｒ２のうち、ＭＦＰに向かって比較的右側の視野角範囲Ｒ２に対する位置依存性）に分類するものとする。
【０１２０】
一方、「通常スキャン」（通常スキャンジョブの実行操作）は、タッチパネル２５での操作を伴うものの、タッチパネル２５の左側、正面、右側からのいずれからでも行うことが可能な作業である。そのため、「通常スキャン」は、作業位置依存性を有しない。
【０１２１】
同様に、「スキャンｔｏＢＯＸ」、「通常コピー」、「ファクシミリ送信」、「テスト印刷（一般ユーザによるテスト印刷）」、「トラブルメッセージ表示確認」、「テスト印刷（サービスマンによるテスト印刷）」等も、作業位置依存性を有しない。
【０１２２】
このように、図６の作業属性テーブル３２０には、各作業の作業位置依存性および各作業の作業種別が規定されている。
【０１２３】
そして、図７の決定基準テーブル３３０に示されるような基準、すなわち、各ユーザの作業の作業位置依存性および作業種別に基づいて、優先ユーザが決定される。換言すれば、各ユーザの作業の作業位置依存性および作業種別に基づいて、各作業の優先度合いが判定される。
【０１２４】
このステップＳ４１の優先ユーザの決定に際しては、各ユーザの作業の作業位置依存性が最も重要視される。
【０１２５】
具体的には、各作業内容の作業位置依存性を規定した情報（作業属性テーブル３２０）に基づき、一方のユーザの作業が作業位置依存性を有し且つ他方のユーザの作業が作業位置依存性を有しないと判定される場合、当該一方のユーザが優先ユーザとして決定される。
【０１２６】
たとえば、第１のユーザＵ１の作業が作業位置依存性を有し且つ第２のユーザの作業が作業位置依存性を有しないと判定される場合（図７の極太線枠内参照）、第１のユーザＵ１が優先ユーザとして決定される。逆に、第２のユーザＵ２の作業が作業位置依存性を有し且つ第１のユーザの作業が作業位置依存性を有しないと判定される場合、第２のユーザＵ２が優先ユーザとして決定される。
【０１２７】
ステップＳ４１の優先ユーザの決定に際しては、各ユーザの作業の作業位置依存性の次に、作業種別に基づく優先順位が重要視される。
【０１２８】
具体的には、両ユーザＵ１，Ｕ２の作業が作業位置依存性の有無で区別できない場合には、各作業内容の作業種別を規定した情報に基づき、比較的高い優先順位を有する作業種別に属する作業を実行しているユーザが優先ユーザとして決定される。詳細には、「エラー時」（エラー対応作業）、「通常使用時」（通常作業）、「非緊急調整時」（非緊急調整作業）の順に、高い優先順位が付与される。すなわち、作業種別「エラー時」の作業を実行しているユーザが、最優先で優先ユーザとして決定される。次に、作業種別「通常使用時」の作業を実行しているユーザが、次順位で優先ユーザとして決定される。そして、作業種別「非緊急調整時」の作業を実行しているユーザが、最後の順位で優先ユーザとして決定される。
【０１２９】
たとえば、両ユーザＵ１，Ｕ２の作業が作業位置依存性の有無で区別できない場合において、ユーザＵ１の作業が「エラー時」に分類され、且つ、ユーザＵ２の作業が「通常使用時」あるいは「非緊急調整時」に分類されるときには、ユーザＵ１が優先ユーザとして決定される。同様の場合において、ユーザＵ２の作業が「エラー時」に分類され、且つ、ユーザＵ１の作業が「通常使用時」るいは「非緊急調整時」に分類されるときには、ユーザＵ２が優先ユーザとして決定される。なお、同様の場合において、ユーザＵ１，Ｕ２の作業がいずれも「エラー時」に分類されるときには、先に使用を開始したユーザが優先ユーザとして決定される。
【０１３０】
また、ユーザＵ１の作業が「通常使用時」に分類され、且つ、ユーザＵ２の作業が「非緊急調整時」に分類されるときには、ユーザＵ１が優先ユーザとして決定される。また、ユーザＵ２の作業が「通常使用時」に分類され、且つ、ユーザＵ１の作業が「非緊急調整時」に分類されるときには、ユーザＵ２が優先ユーザとして決定される。なお、ユーザＵ１，Ｕ２の作業がいずれも「通常使用時」に分類されるときには、先に使用を開始したユーザが優先ユーザとして決定される。また、ユーザＵ１，Ｕ２の作業がいずれも「非緊急調整時」に分類されるときには、先に使用を開始したユーザが優先ユーザとして決定される。
【０１３１】
たとえば、給紙トレイの紙詰まりの解消作業を開始したユーザＵ１と通常スキャンの操作を行っていたユーザＵ２との双方が同一の画面視認領域Ｄ２内に存在する（図１４参照）場合には、ユーザＵ１が優先ユーザとして決定される。
【０１３２】
具体的には、図６の作業属性テーブル３２０に基づいて、ユーザＵ１の作業「給紙トレイの紙詰まりの解消作業」は作業位置依存性を有している旨が判定されるとともに、ユーザＵ２の作業「通常スキャン」は作業位置依存性を有していない旨が判定される。そして、当該判定結果と図７の決定基準テーブル３３０とに基づいて、ユーザＵ１が優先ユーザとして決定される。
【０１３３】
そして、ステップＳ４２では、優先ユーザ用の画面を優先して表示するために表示入替が行われることを要するか否かが判定される。そして、表示入替が行われることを要する旨が判定されると、ステップＳ４３に進む。なお、表示入替が行われることを要しない旨が判定されると、ステップＳ３９に進む。
【０１３４】
ステップＳ４３では、注意喚起表示（後述）（図１５参照）が行われる。その後、ステップＳ４４に進む。
【０１３５】
ステップＳ４４では、入替表示が行われる。
【０１３６】
たとえば、ユーザＵ１，Ｕ２の双方が同一の画面視認領域Ｄ２に存在する場合（図１４も参照）には、ステップＳ４１に進む。そして、ステップＳ４１では、ユーザＵ１が優先ユーザとして決定され、ステップＳ４２，Ｓ４３を経てステップＳ４４に進み、結果的には図１１のような表示状態に変更される（ステップＳ４４）。具体的には、優先されるべき旨が決定された画面（優先ユーザＵ１用の画面）２１０が、当該画面視認領域Ｄ２に対応する視野角範囲Ｒ２に対して表示される。また、両ユーザＵ１，Ｕ２のうち、優先ユーザ（Ｕ１）以外のユーザ（非優先ユーザとも称する）Ｕ２用の画面２２０（ユーザの作業に関する画面２２１）が、２つの視野角範囲Ｒ１，Ｒ２のうちの他方の視野角範囲Ｒ１に対して表示される。ステップＳ４４においても、（ステップＳ３６と同様に、）各ユーザの作業内容が更新され、更新後の作業内容に基づく新たな画面が各ユーザ用の画面として表示される。たとえば、第１のユーザＵ１の更新後の作業内容（給紙トレイジャムの解消作業）に関する画面２１２（給紙トレイジャム解消手順の説明画面）が、第１のユーザＵ１用の新たな画面２１０として表示される。
【０１３７】
なお、表示状態の変更直前のステップＳ４３においては、注意喚起表示が行われる。具体的には、図１５のような注意喚起画面２５０が視野角範囲Ｒ２に対して表示される（図１４も参照）。画面２５０には、今まで表示されていた画面２２０（ユーザＵ２用の画面）に代えて、隣の作業者（優先ユーザＵ１）用の画面が表示される旨（切替表示が行われる旨）が示されている。また、画面２５０には、今まで表示されていた画面（切替前画面）２２０は（ＭＦＰに向かって）左側の視野角範囲Ｒ１に表示される旨も示されている。さらに、左側に移動することによって当該切替前画面（スキャン設定画面）２２０を見ることができる旨も画面２５０に示されている。画面２５０を視認した非優先ユーザＵ２は、当該画面２５０内の移動指示に促されて、装置左側に移動する。
【０１３８】
このように、一方の視野角範囲Ｒ２に対する表示対象画面が、非優先ユーザＵ２用の画面２２０から、優先ユーザＵ１用の画面２１０へと変更される場合には、当該表示対象画面の変更（ステップＳ４４）に先立って、当該一方の視野角範囲Ｒ２に対して非優先ユーザＵ２向けの注意喚起用の画面２５０が表示される（ステップＳ４３）。これによれば、非優先ユーザＵ２は、画面変更前の事前通知を受け取ることができるので、突然の画面変更に驚かずに済む。また、非優先ユーザＵ２は、自分用の画面を視認することができる新たな場所（画面視認領域）を知得できるので、当該新たな場所（画面視認領域）（ここでは装置左側）に向けて移動し易くなる。これにより、ユーザＵ２の移動を促し、ひいてはユーザＵ１，Ｕ２の位置関係の円滑な入れ替わりを実現することが可能である。
【０１３９】
その後、ステップＳ３９に進む。ステップＳ３９では、上述のような動作が実行される。
【０１４０】
以上のような動作によれば、複数のユーザの位置関係の変更が検出される場合、変更後の位置関係に基づいて決定された各画面が複数の視野角範囲のそれぞれに対して表示される。したがって、複数のユーザがＭＦＰを同時並列的に使用する場合において、複数のユーザのそれぞれに対して適切な画像を表示することが可能である。
【０１４１】
詳細には、ユーザＵ１とユーザＵ２との位置関係の入れ替わり（タッチパネル２５の横方向における入れ替わり）が検出される場合において、当該入れ替わり前にて図９のような表示が行われていたときには、当該入れ替わり後においては図１１のような表示が行われる。すなわち、当該入れ替わり後においては、ユーザＵ１用の画面２１０が視野角範囲Ｒ２に対して表示され且つユーザＵ２用の画面２２０が視野角範囲Ｒ１に対して表示される（図１１）。したがって、ユーザＵ１は、入れ替わり後の位置（視野角範囲Ｒ２に対応する画面視認領域Ｄ２）からユーザＵ１用の画面２１０を適切に視認することが可能であり、ユーザＵ２は、入れ替わり後の位置（視野角範囲Ｒ１に対応する画面視認領域Ｄ１）からユーザＵ２用の画面２２０を適切に視認することが可能である。
【０１４２】
また、一方のユーザの移動の結果、ユーザＵ１とユーザＵ２とが同一の画面視認領域Ｄ内に存在する旨が判定される場合、ユーザＵ１，Ｕ２のうちの優先ユーザが決定される。そして、当該優先ユーザ用Ｕ１の画面２１０が、当該画面視認領域Ｄ２に対応する視野角範囲Ｒ２に対する表示内容として優先的に表示される。したがって、両ユーザＵ１，Ｕ２の相互間の優先性が自動的に調整され、当該画面視認領域Ｄ２に対応する当該視野角範囲Ｒ２における表示内容が適切に決定される。さらに、非優先ユーザＵ２用の画面は、他方の画面視認領域Ｄ１に対応する視野角範囲（他方の視野角範囲）Ｒ１に対して表示される。したがって、同一の画面視認領域Ｄ内に複数のユーザが重複して存在する場合であっても、２つの視野角範囲Ｒ１，Ｒ２を適宜使い分けることによって、両ユーザに適切な画面を視認させることが可能である。
【０１４３】
＜２．第２実施形態＞
第２実施形態は、第１実施形態の変形例である。以下、第１実施形態との相違点を中心に説明する。
【０１４４】
上記第１実施形態においては、図９に示されるように、最初は、２人のユーザＵ１，Ｕ２が互いに異なる画面視認領域Ｄ１，Ｄ２に存在している。そして、ユーザＵ１が画面視認領域Ｄ１に存在し且つユーザＵ１用の画面が視野角範囲Ｒ１に対して表示されている状態において、別のユーザＵ２が別の画面視認領域Ｄ２に存在し且つ視野角範囲Ｒ２に対してユーザＵ２用の画面が表示される（図３のステップＳ１６，Ｓ１７も参照）。その後、ユーザＵ１の移動に伴って、両ユーザＵ１，Ｕ２が同一の画面視認領域Ｄ２に存在するに至った状況が想定されている。
【０１４５】
一方、この第２実施形態では、最初から、両ユーザＵ１，Ｕ２が同一の画面視認領域Ｄ２に存在する場合（両ユーザＵ１，Ｕ２がＭＦＰ１０の近傍にて最初に検出された時点で両ユーザＵ１，Ｕ２が同一の画面視認領域Ｄ２に存在する場合）を想定する。詳細には、ユーザＵ１が画面視認領域Ｄ２に存在し且つ視野角範囲Ｒ２に対してユーザＵ１用の画面が表示されている状態において、別のユーザＵ２も同じ画面視認領域Ｄ２に存在する場合を想定する。
【０１４６】
この場合、視野角範囲Ｒ２に対していずれのユーザＵ１，Ｕ２向けの画面を表示すべきかが問題である。
【０１４７】
たとえば、ユーザＵ２が画面視認領域Ｄ２に移動してきた後においても、最初に表示されていたユーザＵ１用の画面が視野角範囲Ｒ２に対して常に表示されるものとすると、画面視認領域Ｄ２に存在するユーザＵ２は、ユーザＵ２用の画面を視認することができない。
【０１４８】
そこで、この第２実施形態では、ユーザＵ１が画面視認領域Ｄ２に存在し且つ視野角範囲Ｒ２に対してユーザＵ１用の画面が表示されている状態において、別のユーザＵ２も同じ画面視認領域Ｄ２に移動してきた場合には、上述の「優先ユーザ」（ステップＳ４１参照）を各ユーザＵ１，Ｕ２の作業内容に基づいて決定する。そして、優先ユーザ用の画面を視野角範囲Ｒ２に表示するとともに、非優先ユーザ用の画面を他の視野角範囲Ｒ１に表示する。これによれば、画面視認領域Ｄ２に存在するユーザＵ２が、当該ユーザＵ２用の画面を適切に視認することが可能である。
【０１４９】
第２実施形態では、このような態様について説明する。第２実施形態では、第２の動作例が行われる状況について説明する。第２の動作例は、スキャンジョブを実行するユーザＵ１とトナー交換作業を行うユーザＵ２とが同時並列的に１台のＭＦＰ１０を利用する際の動作の一例である。
【０１５０】
第２の動作例においては、画面視認領域Ｄ２に存在するユーザＵ１が通常スキャンを実行しており、当該通常スキャンの実行中にユーザＵ２がトナー交換作業を開始する。また、ユーザＵ２によるトナー交換作業は、ユーザＵ１の最初の存在位置である画面視認領域Ｄ２にて行われる。
【０１５１】
図１７〜図２０（ＭＦＰ１０を主に上方から見た図（上面図））は、第２の動作例を示す図である。図１７〜図２０は、第２の動作例に係る動作を時系列で示す図である。図１７は、ユーザＵ１の最初の存在位置（画面視認領域Ｄ２）を示す図である。図１８は、ユーザＵ２がユーザＵ１の近傍位置（同じ画面視認領域Ｄ２）に向かって装置右側から移動してきた様子（且つユーザＵ１も未だ画面視認領域Ｄ２内に存在する様子）を示す図である。図１９は、注意喚起画面が視野角範囲Ｒ２に対して表示される様子を示す図である。また、図２０は、ユーザＵ１が他の画面視認領域Ｄ１に移動した後における、各ユーザＵ１，Ｕ２の位置を示す図である。
【０１５２】
また、この第２実施形態においては、図３のフローチャートの動作に代えて図１６のフローチャートの動作が実行される。以下、図１６のフローチャートおよび図１７〜図２０等を参照しながら、第２実施形態の動作について説明する。
【０１５３】
ステップＳ１１〜Ｓ１５，Ｓ１８，Ｓ１９の各処理は、第１実施形態と同様である。たとえば、最初の状態において、ユーザＵ１が装置中央付近（画面視認領域Ｄ２）にて通常スキャンに関する操作を行っている際には、ユーザＵ１用の画面２１０（２１５）が全視野角範囲（視野角範囲Ｒ２を含む）に対して表示される（ステップＳ１８等）（図１７も参照）。なお、これに限定されず、ステップＳ１８において、全視野角範囲のうち視野角範囲Ｒ２のみに対して、ユーザＵ１用の画面２１０が表示されるようにしてもよい。
【０１５４】
その後、たとえば、ユーザＵ１による通常スキャンの実行中に別のユーザＵ２がトナー交換作業を開始する。ユーザＵ２によるトナー交換作業は、ユーザＵ１の最初の存在位置である画面視認領域Ｄ２にて行われる。具体的には、図１８に示すように、ユーザＵ１は若干後ろに下がり、画面視認領域Ｄ２に図の右側から移動してきたユーザＵ２がトナー交換作業を開始する。
【０１５５】
ＭＦＰ１０は、ユーザＵ２を検出すると、ステップＳ１３〜Ｓ１５を実行した後に、ステップＳ２１に進む。
【０１５６】
ステップＳ２１では、ユーザＵ１，Ｕ２が同一の画面視認領域Ｄ内に存在するか否かが判定される。
【０１５７】
ユーザＵ１，Ｕ２が、互いに異なる画面視認領域Ｄ（Ｄ１，Ｄ２）にそれぞれ存在する場合には、ステップＳ２１からステップＳ１６，Ｓ１７に進む。ステップＳ１６，Ｓ１７では、第１実施形態と同様の動作が実行される。
【０１５８】
一方、ユーザＵ１，Ｕ２が同一の画面視認領域Ｄ内に存在する場合には、ステップＳ２１からステップＳ２２に進む。
【０１５９】
ここでは、ユーザＵ１，Ｕ２が同一の画面視認領域Ｄ２内に存在する旨が判定され、ステップＳ２２に進むものとする。
【０１６０】
ステップＳ２２においては、ステップＳ４１（図４）と同様の動作が実行され、ステップＳ４１と同様にして「優先ユーザ」が決定される。ステップＳ２２においては、位置依存性を有するトナー交換作業をユーザＵ２が実行しており、位置依存性を有しない通常スキャン作業をユーザＵ１が実行していることが作業属性テーブル３２０（図６参照）に基づいて判定される。そして、当該判定結果と図７の決定基準テーブル３３０とにも基づき、ユーザＵ２が優先ユーザとして決定される。
【０１６１】
その後、ステップＳ２３では、現時点までの表示画面は非優先ユーザ用の画面であるか否か、が判定される。
【０１６２】
現時点までの表示画面が非優先ユーザ用の画面である場合には、ステップＳ２４に進み、ステップＳ２４にて非優先ユーザに対して注意喚起画面を表示した後、ステップＳ２５に進む。一方、現時点までの表示画面が優先ユーザ用の画面である場合には、ステップＳ２４を経ずにステップＳ２３からステップＳ２５に進む。なお、ステップＳ２４における動作は、ステップＳ４３（図４）の動作と同様である。ステップＳ２４においては、ステップＳ４３における注意喚起画面（図１５参照）と同様の注意喚起画面が表示される（図１９も参照）。
【０１６３】
ステップＳ２５では、ＭＦＰ１０は、優先ユーザ用の表示画面を、当該優先ユーザの存在領域（優先ユーザが存在する画面視認領域Ｄ）に対応する視野角範囲Ｒに対して表示する。
【０１６４】
たとえば、図２０に示されるように、優先ユーザＵ２用の画面２２０（トナー交換作業用の画面２２５）を視野角範囲Ｒ２に対して表示するとともに、非優先ユーザＵ１用の画面２１０（スキャン設定画面２１５）を他の視野角範囲Ｒ１に対して表示する。
【０１６５】
以上のような動作によれば、複数の視野角範囲Ｒ１，Ｒ２のそれぞれに表示すべき各画面が複数のユーザのそれぞれの位置と当該複数のユーザのそれぞれの作業内容とに基づいてそれぞれ決定される。
【０１６６】
より具体的には、２つの画面視認領域Ｄ１，Ｄ２のうちの一方の画面視認領域（たとえばＤ２）内に第１のユーザＵ１と第２のユーザＵ２との両ユーザが存在する旨が判定される場合、優先ユーザが複数のユーザのそれぞれの作業内容に基づいて決定され、当該優先ユーザ用の画面を優先して表示させるべき旨が決定される。そして、優先されるべき旨が決定された画面が、２つの視野角範囲Ｒ１，Ｒ２のうち、当該一方の画面視認領域Ｄ（Ｄ２）に対応する一方の視野角範囲Ｒ（Ｒ２）に対して表示される。したがって、画面視認領域Ｄ２に存在するユーザＵ２がユーザＵ２用の画面を適切に視認することが可能である。
【０１６７】
たとえば、ユーザＵ２が画面視認領域Ｄ２に移動してきた後においても、最初に表示されていたユーザＵ１用の画面が視野角範囲Ｒ２に対して常に表示されるものとすると、
画面視認領域Ｄ２に存在するユーザＵ２は、ユーザＵ２用の画面を視認することができない。
【０１６８】
これに対して、この第２実施形態では、ユーザＵ１が画面視認領域Ｄ２に存在し且つ視野角範囲Ｒ２に対してユーザＵ１用の画面が表示されている状態において、別のユーザＵ２も同じ画面視認領域Ｄ２に移動してきた場合には、上述の「優先ユーザ」（ステップＳ４１参照）を各ユーザＵ１，Ｕ２の作業内容に基づいて決定する。そして、ＭＦＰ１０は、優先ユーザ用の画面を視野角範囲Ｒ２に表示するとともに、非優先ユーザ用の画面を他の視野角範囲Ｒ１に表示する。これによれば、画面視認領域Ｄ２に存在する優先ユーザＵ２が、当該ユーザＵ２用の画面を適切に視認することが可能である。また、非優先ユーザＵ１は、画面視認領域Ｄ１に移動し、当該画面視認領域Ｄ１にて当該ユーザＵ１用の画面を適切に視認することが可能である。
【０１６９】
なお、この第２実施形態では、ステップＳ２３において、現時点までの表示画面が非優先ユーザ用の画面である場合にのみ、ステップＳ２４にて非優先ユーザに対する注意喚起画面が表示されているが、これに限定されない。たとえば、ステップＳ２２の次に（ステップＳ２３を経ずに）常にステップＳ２４に進み、非優先ユーザに対する注意喚起画面が表示されてもよい。換言すれば、一方の視野角範囲（たとえばＲ２）に対して優先ユーザ用の画面を表示する前に、当該一方の視野角範囲に対して非優先ユーザ向けの注意喚起用の画面が（常に）表示されるようにしてもよい。これによれば、非優先ユーザは、自分用の画面を視認できる場所をより確実に知得することが可能である。
【０１７０】
＜３．その他＞
以上、この発明の実施の形態について説明したが、この発明は上記説明した内容のものに限定されるものではない。
【０１７１】
たとえば、上記第１実施形態においては、ユーザＵ１のジャム解消作業中に別のユーザＵ２がスキャン処理を開始しているが、これに限定されない。たとえば、逆にユーザＵ１のスキャン作業中に別のユーザＵ２がジャム解消処理を開始するようにしてもよい。その後、ユーザＵ１，Ｕ２の移動動作、および各視野角範囲に対する表示画像の変更動作等が行われるようにしてもよい。
【０１７２】
また、上記第２実施形態においては、ユーザＵ１の通常スキャン作業中に別のユーザＵ２がトナー交換作業を開始しているが、これに限定されない。たとえば、逆にユーザＵ２のトナー交換作業中に別のユーザＵ１が通常スキャン作業を開始するようにしてもよい。
【０１７３】
また、上記各実施形態では、ＭＦＰ１０の近傍に存在する或るユーザが別のユーザの存在領域（別の画面視認領域）へと移動したことが検出されること等によって、各ユーザの移動が検出される。このような各ユーザの移動検出に際して、各ユーザが誰であるかは特定されることを要しない（個体識別を要しない）。ただし、これに限定されず、各ユーザの画像に対する画像処理（たとえば、認証処理（顔認証処理）、あるいは、服装等による識別処理等）によって、各ユーザが互いに識別されるようにしてもよい。
【０１７４】
また、上記各実施形態においては、マルチビューディスプレイとして、２つの視野角範囲に対してそれぞれ異なる画面を表示することが可能なデュアルビューディスプレイが採用されているが、これに限定されない。たとえば、３つの視野角範囲に対してそれぞれ異なる画面（画像）を表示することが可能なトリプルビューディスプレイが採用されてもよい。その場合には、３つの視野角範囲のそれぞれに対して表示すべき各画面が複数のユーザの位置等に基づいて決定されればよい。
【０１７５】
また、上記各実施形態においては、カメラ７ｂを用いて各ユーザの位置が検出（測定）されているが、これに限定されない。
【０１７６】
たとえば、感熱センサ７２を用いて各ユーザの位置が測定されてもよい。図２１は、ＭＦＰ１０の周辺の熱分布を示す上面図である。図２１に示すように、ＭＦＰ１０は、当該ＭＦＰ１０に設けた複数の感熱センサ７２（不図示）を用いてＭＦＰ１０の周辺の熱分布を求める。そして、当該熱分布に基づいて各人物の位置を特定するようにしてもよい。換言すれば、各人物が発する熱を当該感熱センサ７２を用いて検知し、各人物の位置Ｐを特定するようにしてもよい。
【０１７７】
あるいは、光センサを用いて各ユーザの位置が測定されてもよい。図２２は、複数の光センサユニット７５がＭＦＰ１０の前面部において左右方向に配列されている様子等を示す上面図である。また、図２３は、各光センサユニット７５の詳細構成を示す図である。なお、図２２では、光センサユニット７５の一部の構成が省略されている。
【０１７８】
図２３に示すように、各光センサユニット７５は、投光部７５ａと受光部７５ｂと投光レンズ７５ｃと受光レンズ７５ｄとを備えている。投光部（発光素子等）７５ａから出射された光は、投光レンズ７５ｃを通過してその出射方向に進行し、出射方向に存在する物体に到達すると、当該物体で反射される。この反射光は、受光レンズ７５ｄを通過して受光部（受光素子等）７５ｂで受光される。
【０１７９】
図２２に示すように、投光部７５ａから出射された光の出射方向に物体が存在する場合、当該物体によって反射された光が受光部７５ｂによって受光される。逆に、光の出射方向に物体が存在しない場合、受光部７５ｂは反射光を受光しない。このような性質を利用して、投光部７５ａからの出射方向に物体（人物）が存在するか否かが判定される。複数の光センサユニット７５は、各出射方向が互いに異なっており、互いに異なる方向（放射線状の各方向）における物体の存否を検出することができるように配置されている。そして、各方向における物体の存否に基づいて、各人物の位置Ｐ（特に、ＭＦＰ１０の前面部の左右方向における位置等）が測定される。
【０１８０】
また、図２３に示すように、各光センサユニット７５は、物体までの距離をも測定することが可能である。物体で反射された光は、受光レンズ７５ｄを通過した後、受光部（詳細には、受光素子（位置検出素子）等）７５ｂで受光される。詳細には、光センサユニット７５から比較的近い位置Ｐ３１で反射された光は、受光部７５ｂ（位置検出素子）内の位置Ｑ３１に到達する。また、光センサユニット７５から比較的遠い位置Ｐ３２で反射された光は、受光部７５ｂ（位置検出素子）内の位置Ｑ３２に到達する。ここで、位置Ｑ３１は、出射光の光軸に垂直な方向において受光レンズ７５ｄの中心から比較的遠い位置（図２３では比較的右側の位置）である。逆に、位置Ｑ３２は、出射光の光軸に垂直な方向において受光レンズ７５ｄの中心から比較的近い位置（図２３では比較的左側の位置）である。
【０１８１】
このように物体からの各反射光の到達位置は、物体までの距離（反射位置との距離）に応じて変化する。このような原理を利用することによって、物体までの距離を測定することが可能である。これにより、各人物の位置Ｐ（特にＭＦＰ１０に対する奥行き方向（図２２の上下方向）における位置）が測定される。なお、この光センサユニット７５は、測距センサであるとも表現される。
【０１８２】
このような構成を採用することによって、画像形成装置１０の載置面に平行な平面（水平平面）内における各人物の位置Ｐ（図２２の左右方向および上下方向の位置）が測定され得る。
【符号の説明】
【０１８３】
７ｂ  カメラ
１０  ＭＦＰ（画像形成装置）
２５  タッチパネル（マルチビューディスプレイ）
３０  フィニッシャ部
７２  感熱センサ
７５  光センサユニット
２５０  注意喚起画面
３１０  作業内容一覧リスト
３２０  作業属性テーブル
３３０  決定基準テーブル
Ｄ１，Ｄ２  画面視認領域
Ｒ１，Ｒ２  視野角範囲
【図１】
2018103580.tif 000003
【図２】
2018103580.tif 000004
【図３】
2018103580.tif 000005
【図４】
2018103580.tif 000006
【図５】
2018103580.tif 000007
【図６】
2018103580.tif 000008
【図７】
2018103580.tif 000009
【図８】
2018103580.tif 000010
【図９】
2018103580.tif 000011
【図１０】
2018103580.tif 000012
【図１１】
2018103580.tif 000013
【図１２】
2018103580.tif 000014
【図１３】
2018103580.tif 000015
【図１４】
2018103580.tif 000016
【図１５】
2018103580.tif 000017
【図１６】
2018103580.tif 000018
【図１７】
2018103580.tif 000019
【図１８】
2018103580.tif 000020
【図１９】
2018103580.tif 000021
【図２０】
2018103580.tif 000022
【図２１】
2018103580.tif 000023
【図２２】
2018103580.tif 000024
【図２３】
2018103580.tif 000025